(57)【要約】【課題】ＬＥＤ光源を効率的に冷却してＬＥＤ光源を高寿命化することが可能であり、また、複数のＬＥＤ光源による自由度の高い投光が可能なＬＥＤ投光器を提供する。【解決手段】Ｉ字形の帯状のパターンで配列された１０個のＬＥＤ投光ユニット２，２，…の各ＬＥＤ灯モジュール６がそれぞれ点灯することで、その点灯光が帯状のパターンで投光される。また、各ＬＥＤ灯モジュール６の点灯による各ＬＥＤ光源６Ｂの発熱は、支持板５の背面側に露出状態で付設されたヒートシンクの一群の放熱フィンに伝達されて放熱される。その際、陸地から海面に向かって集魚灯１の周囲に吹く陸風を冷却風として一群の放熱フィンの相互間に導入することで、一群の放熱フィンから効率良く放熱される。【選択図】図２
2014063642.tif 000002
【特許請求の範囲】
【請求項１】
ＬＥＤ光源を有するＬＥＤ灯モジュールが支持板の正面側に配設された複数のＬＥＤ投光ユニットと、前記ＬＥＤ灯モジュールのＬＥＤ光源に給電する電源ユニットとを備えたＬＥＤ投光器であって、
前記各支持板の背面側には、相互に間隔を開けて延びる一群の放熱フィンを有するヒートシンクが露出状態で付設されており、
前記複数のＬＥＤ投光ユニットは、前記一群の放熱フィンの延びる方向に向きを揃えて任意のパターンに配列されていることを特徴とするＬＥＤ投光器。
【請求項２】
前記複数のＬＥＤ投光ユニットは、相互に間隔を開けて直線状に配列されており、その配列方向に沿って前記一群の放熱フィンが直線状に延びていることを特徴とする請求項１に記載のＬＥＤ投光器。
【請求項３】
前記一群の放熱フィンは、一端側の相互間隔よりも他端側の相互間隔が狭くなるように配列されていることを特徴とする請求項１または２に記載のＬＥＤ投光器。
【請求項４】
前記複数のＬＥＤ投光ユニットは、配列パターンに沿ってジグザグ状に配列されていることを特徴とする請求項１〜３の何れか１の請求項に記載のＬＥＤ投光器。
【発明の詳細な説明】
【技術分野】
【０００１】
本発明は、ＬＥＤを光源とするＬＥＤ投光器に関し、詳しくは、集魚灯に好適なＬＥＤ投光器に関するものである。
【背景技術】
【０００２】
ＬＥＤを光源とするＬＥＤ投光器として、特許文献１に記載のものが従来一般に知られている。この投光器は、半球カップ状のハウジング部（１１ａ）の前面開口部（１２ｂ）に、複数の発光素子（２０）を縦横に配列してＬＥＤ光源としたものであり、複数の発光素子（２０）を冷却するための複数の放熱フィン（２３）がハウジング部（１１ａ）の内側に配列されている。
【０００３】
また、ＬＥＤを光源とする集魚灯として、特許文献２に記載のものが従来一般に知られている。この集魚灯は、長方形の平面基板（１１）の正面側に、複数のＬＥＤ（３）を縦横に配列してＬＥＤ光源としたものであり、平面基板（１１）の背面側にはヒートシンク（８）の一群の放熱フィン（８ａ）が長手方向に沿って配列されている。
【０００４】
ここで、平面基板（１１）は、一端部に口金（１）を有する円筒状のケーシング（９）に収容されており、このケーシング（９）は、複数のＬＥＤ（３）に面する側が発光部ケーシング（９−１）として透明に構成され、一群の放熱フィン（８ａ）に面する側が冷却部ケーシング（９−２）として、多数の小穴が開いたパンチメタルで構成されている。
【先行技術文献】
【特許文献】
【０００５】
【特許文献１】特開２０１０−２５１１９１号公報
【特許文献２】特開２００８−０８６２３０号公報
【発明の概要】
【発明が解決しようとする課題】
【０００６】
ところで、特許文献１に記載された投光器は、複数の発光素子（２０）からなるＬＥＤ光源を冷却するための複数の放熱フィン（２３）がハウジング部（１１ａ）の内側に配列されているため、ハウジング部（１１ａ）の外側に吹く自然の風を冷却風として利用することが困難である。その結果、複数の発光素子（２０）からなるＬＥＤ光源の点灯による発熱を効率的に放熱することができない恐れがあり、ＬＥＤ光源の寿命の低下が懸念される。
【０００７】
また、特許文献２に記載された集魚灯は、一群の放熱フィン（８ａ）がパンチメタルで構成された冷却部ケーシング（９−２）で覆われているため、周囲に吹く自然の風を一群の放熱フィン（８ａ）に直接当てて冷却風として利用することが困難である。その結果、複数のＬＥＤ（３）からなるＬＥＤ光源の点灯による発熱を効率的に放熱することができない恐れがあり、ＬＥＤ光源の寿命の低下が懸念される。
【０００８】
さらに、特許文献１または２に記載の従来技術においては、ＬＥＤ光源による投光面が単一の一面に限られているため、複数の投光面を任意のパターンに配列して一体に取り扱うという自由度の高い投光は困難である。
【０００９】
本発明は、このような従来技術の問題点に対応してなされたものであり、ＬＥＤ光源を効率的に冷却してＬＥＤ光源を高寿命化することが可能であり、また、複数のＬＥＤ光源による自由度の高い投光が可能なＬＥＤ投光器を提供することを課題とする。
【課題を解決するための手段】
【００１０】
このような課題を解決するため、本発明に係るＬＥＤ投光器は、ＬＥＤ光源を有するＬＥＤ灯モジュールが支持板の正面側に配設された複数のＬＥＤ投光ユニットと、ＬＥＤ灯モジュールのＬＥＤ光源に給電する電源ユニットとを備えたＬＥＤ投光器であって、各支持板の背面側には、相互に間隔を開けて延びる一群の放熱フィンを有するヒートシンクが露出状態で付設されており、複数のＬＥＤ投光ユニットは、一群の放熱フィンの延びる方向に向きを揃えて任意のパターンに配列されていることを特徴とする。
【００１１】
本発明に係るＬＥＤ投光器では、任意のパターンで配列された複数のＬＥＤ投光ユニットの各ＬＥＤ灯モジュールがそれぞれ点灯することで、各ＬＥＤ灯モジュールの点灯光が任意のパターンで支持板の正面側から投光される。その際、各ＬＥＤ灯モジュールの点灯によるＬＥＤ光源の発熱は、各ＬＥＤ投光ユニットの支持板の背面側に露出状態で付設されたヒートシンクの一群の放熱フィンに伝達されて放熱される。
【００１２】
この場合、各ヒートシンクは各ＬＥＤ投光ユニットの支持板の背面側に露出しており、各ヒートシンクの一群の放熱フィンはそれぞれ同じ向きに延びているため、周囲に吹く自然の風を冷却風として一群の放熱フィンの相互間に導入すると、その冷却風がそれぞれ一群の放熱フィンに沿って円滑に流れ、各放熱フィンから効率良く放熱されるようになる。
【００１３】
ここで、本発明のＬＥＤ投光器は、複数のＬＥＤ投光ユニットを一群の放熱フィンの延びる方向に向きを揃えて任意のパターンに配列することにより、複数のＬＥＤ灯モジュールを任意のパターンに配列することができるため、投光面を任意のパターンとする自由度の高い投光が可能となる。
【００１４】
本発明のＬＥＤ投光器において、複数のＬＥＤ投光ユニットは、相互に間隔を開けて直線状に配列することができる。この場合、各ＬＥＤ投光ユニットの支持板の背面側の一群の放熱フィンは、各ＬＥＤ投光ユニットの配列方向に沿って直線状に延びているため、一群の放熱フィンの相互間に冷却風を導入すると、冷却風が各ＬＥＤ投光ユニットのそれぞれ一群の放熱フィンに沿って直線状に円滑に流れる。その際、各ＬＥＤ投光ユニットが相互に間隔を開けて配列されているため、各ＬＥＤ投光ユニットの相互間では、ベンチュリー効果により支持板の正面側から背面側に向かう気流が発生し、この気流が冷却風に合流することで、各放熱フィンから一層効率良く放熱される。
【００１５】
ここで、一群の放熱フィンは、冷却風が導入される一端側の相互間隔よりも他端側の相互間隔が狭くなるように配列することができる。この場合、一群の放熱フィンの他端側では冷却風の流速が増大するため、複数のＬＥＤ投光ユニットが相互に間隔を開けて直線状に配列されている場合には、各ＬＥＤ投光ユニットの相互間でベンチュリー効果により支持板の正面側から背面側に向かう気流が増大する。その結果、各ＬＥＤ投光ユニットのそれぞれ一群の放熱フィンから、より一層効率良く放熱されるようになる。
【００１６】
また、本発明のＬＥＤ投光器において、複数のＬＥＤ投光ユニットは、任意の配列パターンに沿ってジグザグ状に配列することができる。例えば、複数のＬＥＤ投光ユニットは、直線状の配列パターンに沿ってジグザグ状に配列することができる。この場合、複数のＬＥＤ投光ユニットが単に直線状に配列されている場合にくらべ、各ＬＥＤ投光ユニットのＬＥＤ灯モジュールの点灯による投光幅が拡がる。
【発明の効果】
【００１７】
本発明に係るＬＥＤ投光器では、任意のパターンで配列された複数のＬＥＤ投光ユニットの各ＬＥＤ灯モジュールがそれぞれ点灯することで、各ＬＥＤ灯モジュールの点灯光が任意のパターンで支持板の正面側から投光される。従って、本発明によれば、複数のＬＥＤ灯モジュールを任意のパターンに配列することで、その配列パターンに応じた自由度の高い投光が可能となる。
【００１８】
また、本発明に係るＬＥＤ投光器では、各ＬＥＤ灯モジュールの点灯によるＬＥＤ光源の発熱は、各ＬＥＤ投光ユニットの支持板の背面側に露出状態で付設されたヒートシンクの一群の放熱フィンに伝達されて放熱される。その際、外部に露出する一群の放熱フィンがそれぞれ同じ向きに延びているため、周囲に吹く自然の風を冷却風として一群の放熱フィンの相互間に冷却風を導入すると、冷却風がそれぞれ一群の放熱フィンに沿って円滑に流れ、各放熱フィンから効率良く放熱されるようになる。従って、本発明によれば、周囲に吹く風を冷却風として利用することにより、各ＬＥＤ投光ユニットを構成する各ＬＥＤ灯モジュールのＬＥＤ光源を効率的に冷却することができ、ＬＥＤ光源を高寿命化することが可能となる。
【図面の簡単な説明】
【００１９】
【図１】本発明の一実施形態に係るＬＥＤ投光器として漁船に装備された集魚灯の側面図である。
【図２】図１に示した集魚灯の正面図である。
【図３】図２に示した集魚灯の背面図である。
【図４】図２に示したＬＥＤ投光ユニットの正面図である。
【図５】図２のＶ矢視図である。
【図６】図４に示したＬＥＤ投光ユニットの背面図である。
【図７】図２に示した集魚灯の放熱作用を説明するための図３に対応した背面図である。
【図８】ＬＥＤ投光モジュールの第１の変形例を示す背面図である。
【図９】ＬＥＤ投光モジュールの第２の変形例を示す背面図である。
【発明を実施するための形態】
【００２０】
以下、添付の図面を参照して本発明に係るＬＥＤ投光器の実施の形態を説明する。一実施形態のＬＥＤ投光器は、図１に示すように、例えばサンマ釣り漁船ＦＢに装備された傾動可能な集魚灯支持アームＳＡに固定されて使用される集魚灯１として構成されている。
【００２１】
この集魚灯１は、図２の正面図に示すように、例えば１０個のＬＥＤ投光ユニット２，２，…と、これらのＬＥＤ投光ユニット２，２，…を相互に所定間隔を開けたＩ形の帯状のパターンに配列してボルト・ナット（図示省略）により一体化する左右一対の支持フレーム３，３とを備えている。
【００２２】
図３の背面図に示すように、集魚灯１の背面側には、支持フレーム３，３間に掛け渡されてボルト・ナット（図示省略）により固定される３つの取付けブラケット４，４，４が支持フレーム３，３の長手方向の両端部付近と中央部付近に設けられている。この３つの取付けブラケット４，４，４は、サンマ釣り漁船ＦＢの集魚灯支持アームＳＡに図示しないＵ字ブラケットを介してそれぞれ固定されるものである。
【００２３】
各ＬＥＤ投光ユニット２は、図４〜図６に示すように、支持板５の正面側に固定されたＬＥＤ灯モジュール６と、支持板５の背面側に固定されたヒートシンク７とを備えて構成されている。
【００２４】
支持板５は、図５に示すように、長方形のアルミニウム合金板の左右両端部を背面側に折り曲げ加工して折曲げ片５Ａとしたコ字状の断面を呈する。この支持板５は、例えば厚さが３ｍｍ、折曲げ片５Ａの突出長が４０ｍｍであって、図４に示すように、正面から見た上下方向の縦寸法が１５５ｍｍ程度、左右方向の横寸法が２６５ｍｍ程度となっている。そして、この支持板５には、潮風による塩害に耐えるように、重耐塩塗装が施されている。
【００２５】
ＬＥＤ灯モジュール６は、例えば直径１００ｍｍ程度、高さが３０ｍｍ程度の背の低い円筒状に形成されたハウジング６Ａと、ハウジング６Ａ内に設置されたＬＥＤ光源６Ｂと、ハウジング６Ａの開口部に嵌め込まれた投光用凸レンズ６Ｃなどを備えて構成されている。
【００２６】
ＬＥＤ光源６Ｂは、図示しないパッケージ基板上に一群のＬＥＤパッケージを縦横に配列して実装したものである。パッケージ基板は、放熱シリコン層およびスペーサを介してハウジング６Ａ内の支持板５上に固定されている。なお、図示はしないが、パッケージ基板に接続された給電線は、支持板５に開けた貫通孔を通して支持板５の背面側に導出されている。
【００２７】
このＬＥＤ光源６Ｂは、図示しない電源ユニットから３６Ｖの直流電力が給電されると、一群のＬＥＤパッケージが１００Ｗで白色光を発光し、各ＬＥＤ灯モジュール６が１００Ｗで点灯する。なお、電源ユニットは、整流回路、電圧制御回路、漏電ブレーカ、空冷ファンなどを内蔵したものであり、１００〜２４０Ｖの交流電力を入力して３６Ｖの直流電力を出力する。
【００２８】
ヒートシンク７は、アルミニウム合金のダイカスト製品であり、図５および図６に示すように、支持板５の背面に固定された長方形のベース板部７Ａから一群の放熱フィン７Ｂ，７Ｂ，…が相互に所定のピッチ間隔をあけて平行に突出している。このヒートシンク７には、放熱塗料の塗装が施されている。
【００２９】
ヒートシンク７のベース板部７Ａは、例えば厚さが５ｍｍ、支持板５の背面側から見た上下方向の縦寸法が１５０ｍｍ程度、左右方向の横寸法が２００ｍｍ程度となっている。そして、一群の放熱フィン７Ｂ，７Ｂ，…は、例えば２６枚が相互に８ｍｍのピッチ間隔を開けて支持板５の縦方向に延びている。すなわち、２６枚の放熱フィン７Ｂ，７Ｂ，…がＬＥＤ投光ユニット２，２，…の配列方向に沿って延びている。なお、各放熱フィン７Ｂの厚さは、基端部が例えば２ｍｍ程度であり、先端部は基端部より若干薄くなっている。
【００３０】
一方、図２および図３に示すように、左右一対の支持フレーム３，３は、ステンレス製の穴開きアングル材で構成されている。この支持フレーム３は、例えば厚さが３ｍｍ、各片の幅がそれぞれ４０ｍｍであって、全長が１８００ｍｍである。
【００３１】
左右一対の支持フレーム３，３は、相互に所定間隔を開けたＩ形の帯状のパターンで配列された１０個のＬＥＤ投光ユニット２，２，…の各支持板５の左右の角部に沿って重ねられる（図５参照）。そして、各支持板５の左右の折曲げ片５Ａがボルト・ナット（図示省略）を介して左右一対の支持フレーム３，３に着脱自在に固定される。こうして、１０個のＬＥＤ投光ユニット２，２，…が配列方向に２０ｍｍ程度の相互間隔を開けて一体化されている。
【００３２】
図５に示すように、各取付けブラケット４は、帯状のステンレス鋼板を左右一対の支持フレーム３，３に重なるようにコ字状に折り曲げ加工したものである。各取付けブラケット４は、厚さが６ｍｍ、幅が３５ｍｍであって、折り曲げられた両端部が左右一対の支持フレーム３，３および各支持板５の折曲げ片５Ａにボルト・ナット（図示省略）を介して着脱自在に固定される。
【００３３】
ここで、各ＬＥＤ投光ユニット２，２，…を構成するＬＥＤ灯モジュール６のＬＥＤ光源６Ｂから支持板５の背面側に引き出された給電線は、集合状態に結束されて左右一対の支持フレーム３，３の内側に沿って配置され、フレキシブルホースなどで構成されたカバー部材（図示省略）で覆われる。
【００３４】
以上のように集魚灯１として構成された一実施形態のＬＥＤ投光器は、例えばサンマ釣り漁船ＦＢの集魚灯支持アームＳＡに３つの取付けブラケット４，４，４が図示しないＵ字ブラケットを介して固定されることで、図１に示すようにサンマ釣り漁船ＦＢの集魚灯支持アームＳＡに装着される。この集魚灯１は、サンマ釣り漁船ＦＢが操業する夜間に点灯されて海面に白色光を投光する。
【００３５】
ここで、集魚灯１は、図示しない電源ユニットとの間に設けられた点灯スイッチ（図示省略）がオンされることで、電源ユニットから各ＬＥＤ投光ユニット２のＬＥＤ光源６Ｂに３６Ｖの直流電力が給電され、各ＬＥＤ光源６Ｂが白色光を発光する。こうして各ＬＥＤ投光ユニット２の各ＬＥＤ灯モジュール６がそれぞれ１００Ｗで点灯し、その白色光の点灯光が投光用凸レンズ６Ｃを通して海面に投光される。
【００３６】
その際、各ＬＥＤ灯モジュール６の点灯による各ＬＥＤ光源６Ｂの発熱は、各ＬＥＤ投光ユニット２の支持板５の背面側に露出状態で付設された各ヒートシンク７の一群の放熱フィン７Ｂ，７Ｂ，…に伝達されて放熱される。
【００３７】
ここで、外部に露出した各ヒートシンク７の一群の放熱フィン７Ｂ，７Ｂ，…は、Ｉ形の帯状に配列された１０個のＬＥＤ投光ユニット２，２，…の配列パターンに沿って直線状の帯状に延びている。このため、サンマ釣り漁船ＦＢが操業する夜間に陸地から海面に向かって集魚灯１の周囲に吹く陸風を各ヒートシンク７の冷却風として利用することができる。
【００３８】
この場合、陸風が集魚灯１の背面側の各ヒートシンク７に当たるようにすると、陸風が冷却風として、１０個のＬＥＤ投光ユニット２，２，…のそれぞれ一群の放熱フィン７Ｂ，７Ｂ，…に沿って円滑に流れる。その結果、各放熱フィン７Ｂ，７Ｂ，…から効率良く放熱されるようになる。
【００３９】
ここで、Ｉ形の帯状に配列された１０個のＬＥＤ投光ユニット２，２，…は、例えば２０ｍｍ程度の相互間隔を開けて配列されているため、図７に示すように、各ＬＥＤ投光ユニット２，２，…の支持板５の背面側に配設された一群の放熱フィン７Ｂ，７Ｂ，…に沿って冷却風（メインフローＦｍ）が流れると、各ＬＥＤ投光ユニット２，２，…の相互間では、ベンチュリー効果により支持板５の正面側から背面側に向かう気流（サブフローＦｓ）が発生し、この気流（サブフローＦｓ）が冷却風（メインフローＦｍ）に合流することで、各放熱フィン７Ｂ，７Ｂ，…から一層効率良く放熱される。
【００４０】
従って、一実施形態のＬＥＤ投光器である集魚灯１によれば、例えばサンマ釣り漁船ＦＢが操業する夜間に陸地から海面に向かって集魚灯１の周囲に吹く陸風を冷却風として利用することにより、集魚灯１の各ＬＥＤ投光ユニット２，２，…を構成する各ＬＥＤ灯モジュール６，６，…の各ＬＥＤ光源６Ｂ，６Ｂ，…を効率的に冷却することができ、各ＬＥＤ光源６Ｂ，６Ｂ，…を高寿命化することが可能となる。ちなみに、一実施形態の集魚灯１における各ＬＥＤ光源６Ｂ，６Ｂ，…の放熱効率は、例えば３０％以上となり、各ＬＥＤ光源６Ｂ，６Ｂ，…の一群のＬＥＤパッケージの温度を６０℃程度に保持することが可能となる。
【００４１】
加えて、一実施形態のＬＥＤ投光器である集魚灯１は、例えば１０個のＬＥＤ投光ユニット２，２，…がＩ形の帯状に配列されているため、サンマ釣り漁船ＦＢの集魚灯支持アームＳＡに沿って安定した状態で容易に装着することができる。また、各ＬＥＤ灯モジュール６，６，…の点灯光をＩ形の帯状のパターンで海面に投光することができ、サンマ釣り漁船ＦＢの集魚灯１として好適な投光を行うことができる。
【００４２】
さらに、一実施形態の集魚灯１は、１０個のＬＥＤ投光ユニット２，２，…の１０個のＬＥＤ灯モジュール６，６，…がそれぞれ１００Ｗで点灯するため、その合計消費電力は１ＫＷとなるが、これと同じ明るさの投光を従来のＨＩＤ灯（高輝度放電ランプ）を使用した集魚灯で行うには、４００ＷのＨＩＤ灯が１８灯必要となり、合計消費電力は７．２ＫＷとなる。従って、一実施形態の集魚灯１は、従来のＨＩＤ灯を使用した集魚灯に較べ、、消費電力を１／７に削減することができる。
【００４３】
なお、一実施形態の集魚灯１では、各ＬＥＤ投光ユニット２の支持板５が左右一対の支持フレーム３，３に対し、ボルト・ナットを介して着脱自在に固定されるようになっているため、各ＬＥＤ投光ユニット２の保守点検、交換などの作業や、固定位置の変更作業が容易に行える。
【００４４】
本発明に係るＬＥＤ投光器は、前述した一実施形態の集魚灯１に限定されるものではない。例えば、複数のＬＥＤ投光ユニット２，２，…は、Ｉ形の帯状に限らず、Ｔ字形やＬ字形のパターンで配列することができる。また、複数のＬＥＤ投光ユニット２，２，…は、Ｉ形、Ｔ字形、Ｌ字形の各パターンに沿ってジグザグ状に配列することができる。この場合、複数のＬＥＤ灯モジュール６，６，…の点灯によるＩ形、Ｔ字形、Ｌ字形の各パターンの投光幅が拡がる。
【００４５】
さらに、図示はしないが、各ＬＥＤ投光ユニット２の支持板５は、左右一対の支持フレーム３，３の上面にボルト・ナットを介して着脱自在に固定できるように、折曲げ片５Ａの無いフラットな平板とすることができる。また、このフラットな支持板５を正方形とすることで、左右一対の支持フレーム３，３に対する各ＬＥＤ投光ユニット２の取付けの向きを縦向きから９０°回転した横向きに変更することができる。
【００４６】
この場合、サンマ釣り漁船ＦＢの操業時に、集魚灯１の周囲に吹く風が各ＬＥＤ投光ユニット２の一群の放熱フィン７Ｂ，７Ｂ，…に沿って充分に流れるように、予め海上の風向き予報に応じて、左右一対の支持フレーム３，３に対する各ＬＥＤ投光ユニット２の取付け方向を縦向きまたは横向きに変更することができ、各ＬＥＤ投光ユニット２のヒートシンク７の放熱効果を充分に発揮させることができる。
【００４７】
ここで、例えば図８に示すように、各ＬＥＤ投光ユニット２，２，…の支持板５の背面側に露出状態で付設されるヒートシンク７の一群の放熱フィン７Ｂ，７Ｂ，…は、冷却風が導入される一端側の相互間隔よりも他端側の相互間隔が狭くなるように配列することができる。
【００４８】
この場合、一群の放熱フィン７Ｂ，７Ｂ，…の他端側では冷却風の流速が増大するため、複数のＬＥＤ投光ユニット２，２，…が相互に間隔を開けて直線状に配列されている場合には、各ＬＥＤ投光ユニット２，２，…の相互間でベンチュリー効果により支持板５の正面側から背面側に向かう気流が増大する。その結果、各ＬＥＤ投光ユニット２，２，…のそれぞれ一群の放熱フィン７Ｂ，７Ｂ，…からより一層効率良く放熱されるようになる。
【００４９】
また、例えば図９に示すように、各ＬＥＤ投光ユニット２，２，…には、支持板５からヒートシンク７のベース板部７Ａに跨る導風穴９を形成してもよい。この導風穴９は、ＬＥＤ灯モジュール６の左右の箇所に均等に配置して複数個形成してもよいし、ＬＥＤ灯モジュール６の上下（前後）の一方または両方の箇所に左右均等に延びる長穴として形成してもよい。
【００５０】
この場合、一群の放熱フィン７Ｂ，７Ｂ，…の間を冷却風が流れると、導風穴９を通って支持板５の正面側からヒートシンク７のベース板部７Ａに向かう気流がベンチュリー効果により発生し、この気流が冷却風に合流することで、各放熱フィン７Ｂ，７Ｂ，…からより一層効率良く放熱されるようになる。
【００５１】
ここで、一群の放熱フィン７Ｂ，７Ｂ，…を有するヒートシンク７は、アルミニウム合金のダイカスト製品に限らず、アルミニウム合金や銅合金の押出し成形品としてもよいし、ステンレス板のプレス成形品としてもよい。
【００５２】
また、ＬＥＤ光源６Ｂを構成する一群のＬＥＤパッケージは、赤色（Ｒ）、緑色（Ｇ）、青色（Ｂ）の３原色の光を発光する３個のＬＥＤチップをそれぞれ内蔵した構成としてもよい。この場合、ＬＥＤ光源６Ｂの発光色を任意に変化させることが可能となる。
【００５３】
ここで、本発明のＬＥＤ投光器は、前述した集魚灯に限らず、建造物のライトアップ用や船舶のサーチライトなどに使用することができる。
【符号の説明】
【００５４】
１  ：集魚灯
２  ：ＬＥＤ投光ユニット
３  ：支持フレーム
４  ：取付けブラケット
５  ：支持板
６  ：ＬＥＤ灯モジュール
６Ａ：ハウジング
６Ｂ：ＬＥＤ光源
６Ｃ：投光用凸レンズ
７  ：ヒートシンク
７Ａ：ベース板部
７Ｂ：一群の放熱フィン
ＦＢ：サンマ釣り漁船
ＳＡ：集魚灯支持アーム
Ｆｍ：メインフロー（冷却風）
Ｆｓ：サブフロー（気流）
【図１】
2014063642.tif 000003
【図２】
2014063642.tif 000004
【図３】
2014063642.tif 000005
【図４】
2014063642.tif 000006
【図５】
2014063642.tif 000007
【図６】
2014063642.tif 000008
【図７】
2014063642.tif 000009
【図８】
2014063642.tif 000010
【図９】
2014063642.tif 000011